(57)【特許請求の範囲】
【請求項１】
一次側電圧を受ける入力端子と、所定の二次側電圧を出力する出力端子とを有するＤＣ／ＤＣコンバータ（２００）であって：
Ａ）  前記一次側電圧を受け、前記出力端子において所定の二次側電圧が生ずるよう制御する昇降圧制御部（２０１）であって、
Ａ１）  前記一次側電圧、基準電圧および同期クロック信号を受け、前記一次側電圧と基準電圧を比較し、比較出力をラッチして前記同期クロック信号に同期した第２昇降圧切り換え信号を出力する、昇降圧切り換え回路（２１０）と、
Ａ２）  前記昇降圧切り換え回路（２１０）に結合され、前記同期クロック信号を受け、前記第２昇降圧切り換え信号および前記同期クロック信号に応答する昇降圧部制御信号を生成するＤＣ／ＤＣコンバータ制御回路（２２０）と、
から成る昇降圧制御部（２０１）；および
Ｂ）  前記昇降圧部制御信号に応答する昇降圧部（２０２）であって、一次側電圧より低い電圧を出力する降圧部（Ｑ１，Ｑ２）および一次側電圧より高い電圧を出力する昇圧部（Ｑ３，Ｑ４）から成る昇降圧部；
から構成されることを特徴とするＤＣ／ＤＣコンバータ。
【請求項２】
一次側電圧を受ける入力端子と、所定の二次側電圧を出力する出力端子とを有するＤＣ／ＤＣコンバータ（２００）であって：
Ａ）  前記一次側電圧を受け、前記出力端子において所定の二次側電圧が生ずるよう制御する昇降圧制御部（２０１）であって、
Ａ１）  前記一次側電圧と基準電圧を受け、第２昇降圧切り換え信号を出力する昇降圧切り換え回路（２１０）であって、
Ａ１  ｉ）  前記一次側電圧と基準電圧を比較して第１昇降圧切り換え信号を出力する電圧比較器（２１１）と；
Ａ１  ｉｉ）  前記第１昇降圧切り換え信号を受ける第１入力端子，同期クロック信号を受ける第２入力端子および第２昇降圧切り換え信号を出力する出力端子を有するラッチ手段であって、前記第１昇降圧切り換え信号をラッチして前記同期クロック信号に同期した第２昇降圧切り換え信号を出力するラッチ手段（２１２）と、
から成る昇降圧切り換え回路（２１０）と、
Ａ２）  前記昇降圧切り換え回路（２１０）に結合され、同期クロック信号を受け、前記第２昇降圧切り換え信号および前記同期クロック信号に応答する昇降圧部制御信号を生成するＤＣ／ＤＣコンバータ制御回路（２２０）と、
から成る昇降圧制御部（２０１）；および
Ｂ）  前記昇降圧部制御信号に応答する昇降圧部（２０２）であって、一次側電圧より低い電圧を出力する降圧部（Ｑ１，Ｑ２）および一次側電圧より高い電圧を出力する昇圧部（Ｑ３，Ｑ４）から成る昇降圧部；
から構成されることを特徴とするＤＣ／ＤＣコンバータ。
【請求項３】
一次側電圧を受ける入力端子と、所定の二次側電圧を出力する出力端子とを有するＤＣ／ＤＣコンバータ（４００）であって：
１）  一次側電圧を受け、前記出力端子において所定の二次側電圧が生ずるよう制御する電圧変換部であって、
Ａ）  前記一次側電圧を受け、前記出力端子において所定の二次側電圧が生ずるよう制御する昇降圧制御部（２０１）であって、
Ａ１）  前記一次側電圧と基準電圧を受け、第２昇降圧切り換え信号を出力する昇降圧切り換え回路（２１０）であって、
Ａ１  ｉ）  前記一次側電圧と基準電圧を比較して第１昇降圧切り換え信号を出力する電圧比較器（２１１）と；
Ａ１  ｉｉ）  前記第１昇降圧切り換え信号を受ける第１入力端子，同期クロック信号を受ける第２入力端子および第２昇降圧切り換え信号を出力する出力端子を有するラッチ手段であって、前記第１昇降圧切り換え信号をラッチして前記同期クロック信号に同期した第２昇降圧切り換え信号を出力するラッチ手段（２１２）と、
から成る昇降圧切り換え回路（２１０）と、
Ａ２）  前記昇降圧切り換え回路（２１０）に結合され、前記第２昇降圧切り換え信号を受けかつ前記同期クロック信号を受け、前記第２昇降圧切り換え信号に応答しかつ前記同期クロック信号に応答する昇降圧部制御信号を生成するＤＣ／ＤＣコンバータ制御回路（２２０）と、
から成る昇降圧制御部（２０１）と、
Ａ３）  該昇降圧部制御信号に応答する昇降圧部（２０２）であって、一次側電圧より低い電圧を出力する降圧部（Ｑ１，Ｑ２）および一次側電圧より高い電圧を出力する昇圧部（Ｑ３，Ｑ４）から成る昇降圧部（２０２）と、
から成る電圧変換部；
２）  前記出力端子において所定の二次側電圧が生ずるようリニア制御するリニア制御部（４０３）；および
前記電圧変換部および前記リニア制御部に接続されたスイッチ手段（４９０）であって、前記電圧変換部または前記リニア制御部（４０３）のいずれか一方に基づく電圧出力を前記出力端子に出力させるよう切り換えるスイッチ手段（４９０）；
から構成されることを特徴とするＤＣ／ＤＣコンバータ。
【請求項４】
バッテリから供給される一次側電圧を受ける入力端子と、所定の二次側電圧を出力する出力端子とを有するＤＣ／ＤＣコンバータ（２００）を含む携帯用電子機器であって、前記ＤＣ／ＤＣコンバータが：
Ａ）  前記一次側電圧を受け、前記出力端子において所定の二次側電圧が生ずるよう制御する昇降圧制御部（２０１）であって、
Ａ１）  前記一次側電圧と基準電圧を受け、第２昇降圧切り換え信号を出力する昇降圧切り換え回路（２１０）であって、
Ａ１  ｉ）  前記一次側電圧と基準電圧を比較して第１昇降圧切り換え信号を出力する電圧比較器（２１１）と；
Ａ１  ｉｉ）  前記第１昇降圧切り換え信号を受ける第１入力端子，同期クロック信号を受ける第２入力端子および第２昇降圧切り換え信号を出力する出力端子を有するラッチ手段であって、前記第１昇降圧切り換え信号をラッチして前記同期クロック信号に同期した第２昇降圧切り換え信号を出力するラッチ手段（２１２）と、
から成る昇降圧切り換え回路（２１０）と、
Ａ２）  前記昇降圧切り換え回路（２１０）に結合され、同期クロック信号を受け、前記第２昇降圧切り換え信号および前記同期クロック信号に応答する昇降圧部制御信号を生成するＤＣ／ＤＣコンバータ制御回路（２２０）と、
から成る昇降圧制御部（２０１）；および
Ｂ）  前記昇降圧部制御信号に応答する昇降圧部（２０２）であって、一次側電圧より低い電圧を出力する降圧部（Ｑ１，Ｑ２）および一次側電圧より高い電圧を出力する昇圧部（Ｑ３，Ｑ４）から成る昇降圧部；
から構成されることを特徴とする携帯用電子機器。
【発明の詳細な説明】
【０００１】
【産業上の利用分野】
本発明はＤＣ／ＤＣコンバータに関し、さらに特定すれば昇降圧型ＤＣ／ＤＣコンバータに関する。
【０００２】
【従来の技術】
図１には、従来技術によるＰＷＭ制御型の昇降圧型ＤＣ／ＤＣコンバータ１００を示す簡略回路図である。ＤＣ／ＤＣコンバータ１００は、一次側電圧を受ける入力端子と、所定の二次側電圧を出力する出力端子とを有し、ＰＷＭ制御部１０１と昇降圧部１０２から構成される。ＰＷＭ制御部１０１は、電圧比較器１１１，ＤＣ／ＤＣコンバータ制御回路１２０，プリドライバ１３０を含む。電圧比較器１１１が一次側電圧ＶｉｎとＶｒｅｆを比較して、一次側電圧ＶｉｎがＶｒｅｆを上回ると昇降圧切り換え信号をハイにする。ＤＣ／ＤＣコンバータ制御回路１２０は、昇降圧切り換え信号に応答してプリドライバ１３０を介してスイッチング信号を昇降圧部１０２に出力する。スイッチング信号は、昇降圧切り換え回路１１０を降圧に切り換え、出力端子に所望の二次側電圧出力Ｖｏｕｔを出力する。一次側電圧ＶｉｎがＶｒｅｆを下回ると昇降圧切り換え信号をローにする。ＤＣ／ＤＣコンバータ制御回路１２０は、昇降圧切り換え信号に応答してプリドライバ１３０を介してスイッチング信号を昇降圧部１０２に出力する。スイッチング信号は、昇降圧切り換え回路１１０を昇圧に切り換え、出力端子に所望の二次側電圧出力Ｖｏｕｔを出力する。昇降圧部１０２は、ＰＷＭ制御部１０１に結合され、降圧部（Ｑ１，Ｑ２）と昇圧部（Ｑ３，Ｑ４）を含む。
【０００３】
【解決すべき課題】
図２は、従来技術によるＰＷＭ制御型の昇降圧型ＤＣ／ＤＣコンバータの二次側電圧の変化を示す図である。ＰＷＭ制御型の昇降圧型ＤＣ／ＤＣコンバータの一次側電源に電池などを使用した場合に昇降圧を切り換えるとＤＣ／ＤＣコンバータの起動電流と電池の内部インピーダンスにより一次側電圧が変動する。一次側電圧Ｖｉｎが変動してＶｒｅｆを上回ると、昇降圧切り換え信号が反転する。また、昇降圧部に流れ込む電流が変化すると二次側負荷が変動する。二次側負荷が変動すると二次側電圧の変化する。このように短時間に一次側電圧と二次側負荷が変動すると、昇圧と降圧の切り換えが繰り返し発生するのでＤＣ／ＤＣコンバータは発振状態になり二次側電圧が挙動するという問題点があった。
【０００４】
また、負荷が急に変動した場合も上記と同様に昇降圧切り換え信号が反転し、ＤＣ／ＤＣコンバータは発振状態になり二次側電圧が挙動するという問題点があった。
【０００５】
したがって、本発明の一目的は、昇降圧の切り換え時に昇降圧切り換え信号が反転することなく、二次側電圧の挙動のない信頼性の高いＤＣ／ＤＣコンバータを提供することである。
【０００６】
本発明の一目的は、昇降圧の切り換え時にＰＷＭのデュティが変化することなく、出力変動のない信頼性の高いＤＣ／ＤＣコンバータを提供することである。
【０００７】
本発明の一目的は、昇降圧切り換え電圧付近において、電源変換効率の向上したＤＣ／ＤＣコンバータを提供することである。
【０００８】
【課題を解決するための手段】
前記のおよびその他の目的は、一次側電圧を受ける入力端子と、所定の二次側電圧を出力する出力端子とを有するＤＣ／ＤＣコンバータ（２００）であって、一次側電圧を受け、前記出力端子において所定の二次側電圧が生ずるよう制御する昇降圧制御部（２０１）であって、一次側電圧、基準電圧および同期クロック信号を受け、一次側電圧と基準電圧を比較し、比較出力をラッチして前記同期クロック信号に同期した第２昇降圧切り換え信号を出力する、昇降圧切り換え回路（２１０）と、昇降圧切り換え回路（２１０）に結合され、同期クロック信号を受け、第２昇降圧切り換え信号および同期クロック信号に応答する昇降圧部制御信号を生成するＤＣ／ＤＣコンバータ制御回路（２２０）と、から成る昇降圧制御部（２０１）；および昇降圧部制御信号に応答する昇降圧部（２０２）であって、一次側電圧より低い電圧を出力する降圧部（Ｑ１，Ｑ２）および一次側電圧より高い電圧を出力する昇圧部（Ｑ３，Ｑ４）から成る昇降圧部から構成されることを特徴とするＤＣ／ＤＣコンバータによって実現される。
【０００９】
【実施例】
図３は、本願の一実施例によるＤＣ／ＤＣコンバータ２００を示す簡略回路図である。ＤＣ／ＤＣコンバータ２００は、一次側電圧を受ける入力端子と、所定の二次側電圧を出力する出力端子とを有し、ＰＷＭ制御部２０１と昇降圧部２０２からなるＰＷＭ電圧変換部２０３から構成される。
【００１０】
ＰＷＭ制御部２０１は、昇降圧切り換え回路２１０，ＤＣ／ＤＣコンバータ制御回路２２０，プリドライバ２３０を含む。昇降圧切り換え回路２１０は、電圧比較器２１１，ラッチ回路２１２，のこぎり波発生回路２１３から構成される。電圧比較器２１１は一次側電圧Ｖｉｎと基準電圧Ｖｒｅｆを受ける各入力とラッチ回路２１２に結合された出力を有する。ラッチ回路２１２は、電圧比較器２１１に結合され第一昇降圧切り換え信号を受ける第１入力と同期クロックを受ける第２入力とＤＣ／ＤＣコンバータ制御回路２２０に結合され第二昇降圧切り換え信号を与える出力を有する。のこぎり波発生回路２１３は同期クロックを受ける入力とＤＣ／ＤＣコンバータ制御回路２２０に結合された出力を有する。ＤＣ／ＤＣコンバータ制御回路２２０は、プリドライバ２３０に結合される。プリドライバ２３０は昇降圧部２０２に結合される。
【００１１】
図４は、本願の一実施例による一次側電圧と第二昇降圧切り換え信号の関係を示す図である。
【００１２】
ＰＷＭ制御部２０１の動作について、図３，図４を用いて説明する。電圧比較器２１１が一次側電圧ＶｉｎとＶｒｅｆを比較する。一次側電圧Ｖｉｎが基準電圧Ｖｒｅｆを越えると第一昇降圧切り換え信号をハイにする。ラッチ回路２１２は第１入力端子で第一昇降圧切り換え信号を受け、第２入力端子で同期クロックを受ける。ラッチ回路２１２は第一昇降圧切り換え信号と同期クロックを同期させ、同期クロックの次の立ち上がり時に第二昇降圧切り換え信号をハイにする。一次側電圧Ｖｉｎが基準電圧Ｖｒｅｆを下回った場合は、電圧比較器２１１が第一昇降圧切り換え信号をローにする。ラッチ回路２１２は第一昇降圧切り換え信号と同期クロックを同期させ、同期クロックの次の立ち上がり時に第二昇降圧切り換え信号をローに反転させる。ラッチ回路２１２は、その第二昇降圧切り換え信号をＤＣ／ＤＣコンバータ制御回路２２０に出力する。ＤＣ／ＤＣコンバータ制御回路２２０は、第二昇降圧切り換え信号に応答して、第二昇降圧切り換え信号がローの場合には昇圧信号を、ハイの場合には降圧信号を生成する。プリドライバ２３０はその昇降圧のスイッチング信号を昇降圧部２０２に送る。
【００１３】
昇降圧部２０２は降圧部（Ｑ１，Ｑ２）と昇圧部（Ｑ３，Ｑ４）から構成され、ＰＷＭ制御部２０１からのスイッチング信号に応答して昇降圧する。例えば、昇圧信号を受けた場合は、Ｑ１をＯＮ，Ｑ２をＯＦＦ，Ｑ３をＰＷＭ，Ｑ４をＰＷＭバーとする。降圧信号を受けた場合は、Ｑ１をＰＷＭ，Ｑ２をＰＷＭバー，Ｑ３をＯＦＦ，Ｑ４をＯＮとする。昇降圧部２０２の動作は、従来の一般的な昇降圧回路と同一であるので、詳細な動作説明は省略する。また、当該技術分野に通じたものであれば昇降圧部２０２はの構造を変形、変更することができるであろう。しかしながら、昇降圧部２０２の構造はここで開示された特定の実施例に限定されるものではない。
【００１４】
本願の一実施例により、電圧比較器２１１の出力（第一昇降圧切り換え信号）をラッチすることで、ラッチしている間は二次側負荷の変動と一次側電流の変動を受けないので、昇降圧切り換え時に短時間に昇降圧切り換え信号が反転することがなく、発振を防止することができる。また、第二昇降圧切り換え信号とＰＷＭに同期をかけることで、ＰＷＭのデュティが変化することを解決した。
【００１５】
図５は、本願の他の一実施例によるＰＷＭ／リニア制御型のＤＣ／ＤＣコンバータ４００を示す簡略回路図である。図４において、図２と同一の素子は同一の参照番号を付する。
【００１６】
この第二実施例は、同一発明者により同一出願人に承継され、平成１０年６月２９日に「ＤＣ−ＤＣコンバータ」の名称で日本国特許庁に出願されたＰＷＭ／リニア制御型のＤＣ／ＤＣコンバータへの第一実施例の応用例である。
【００１７】
ＤＣ／ＤＣコンバータ４００は、第一実施例と同様のＰＷＭ電圧変換部２０３と、リニア制御部４０３とスイッチング素子４９０により構成される。スイッチング素子４９０は、ＰＷＭ電圧変換部２０３とリニア制御部４０３に接続される。
【００１８】
図６は、本願の第二実施例による、昇圧・リニア・降圧の各制御モード毎の昇降圧部のトランジスタ（Ｑ１，Ｑ２，Ｑ３，Ｑ４）の動作と二次側電圧の変化を示す表である。
【００１９】
図７は、本願の第二実施例による二次側電圧の変化とその制御モードの関係を示す図である。
【００２０】
第二実施例の動作について、図５ないし図７を基に以下説明する。一次側電圧が二次側目標電圧より低い場合は、ＤＣ／ＤＣコンバータ制御回路２２０からのスイッチ切換信号によりスイッチング素子４９０はＰＷＭ制御部２０１と昇降圧部２０２を結合させ、ＰＷＭ電圧変換部２０３に基づく電圧出力を出力端子に出力させる。この場合のＰＷＭ電圧変換部２０３の動作は第１実施例と同一である。
【００２１】
次に一次側電圧が二次側目標電圧に達した後、一次側目標電圧＋Ｖｏｓまでの間は、ＤＣ／ＤＣコンバータ制御回路２２０からのスイッチ切換信号はスイッチング素子４９０をリニア制御部４０３と昇降圧部２０２を結合させ、リニア制御部４０３に基づく電圧出力を出力端子に出力させる。この場合の昇降圧部２０２のＱ１はリニア，Ｑ２はＯＦＦ，Ｑ３はＯＦＦ，Ｑ４はＯＮにして、ＤＣ／ＤＣコンバータ４００はリニア制御のＤＣ／ＤＣコンバータとして機能する。昇降圧部２０２のＱ１は、オン抵抗の小さいＮチャネル型ＭＯＳトランジスタを用いると、１次側電圧Ｖｉｎがある程度低くても二次側負荷に関係なくドライブ可能である。また他の実施例として、昇降圧部２０２のＱ１をＯＮさせた場合もリニア制御部４０３に基づく電圧出力を出力端子に出力させることが可能である。そして、一次側電圧が二次側目標電圧＋Ｖｏｓに達した後に、ＤＣ／ＤＣコンバータ制御回路２２０からのスイッチ切換信号により、スイッチング素子４９０は昇降圧部２０２との結合をリニア制御部４０３からＰＷＭ制御部２０１に切り換え、ＰＷＭ電圧変換部２０３に基づく電圧出力を出力端子に出力させる。
【００２２】
次に一次側電圧が二次側目標電圧＋Ｖｏｓより高い場合は、ＤＣ／ＤＣコンバータ制御回路２２０からのスイッチ切換信号は、スイッチング素子４９０をＰＷＭ制御部２０１と昇降圧部２０２を結合させ、ＰＷＭ電圧変換部に基づく電圧出力を出力端子に出力させる。この場合のＰＷＭ電圧変換部２０３の動作は第１実施例と同一である。
【００２３】
本願の第二実施例では、スイッチング素子４９０の切り換えの制御は、スイッチング素子４９０に接続されたＤＣ／ＤＣコンバータ制御回路２２０により生成されたスイッチ切換信号により制御するが、スイッチング素子４９０に結合された切換制御回路（図示せず）によって行うことも可能であり、スイッチング素子４９０の切り換え制御について限定するものではない。スイッチング素子４９０は、所定の切換信号に基づいて、所定の期間ＰＷＭ電圧変換部またはリニア制御部２０３のいずれか一方に基づく電圧出力を出力端子に出力させるよう切り換える。
【００２４】
図７の二次側電圧の出力電圧が示すとおり、本願の第二実施例は、昇降圧切り換え電圧付近においてＰＷＭ制御とリニア制御の切り換えと昇降圧の切り換えのタイミングを図ることができるので、従来技術によるＤＣ／ＤＣコンバータと比べ二次側電圧の出力電圧は変動は極めて小さく、かつ電源変換効率が良い。また、電源変換効率との関係を考慮しつつＶｏｓを大きくすることにより、リニア制御と降圧域との間に二次側電圧の出力電圧の低下をゼロとすることも可能である。このことは、次のリニア制御における最低電源変換効率の関係式（数１）からも明らかである。
【００２５】
【数１】
0004184492.tif 000002
ここで、Ｖｏｕｔは二次側出力電圧、Ｖｏｓは切り換え電圧をいう。
【００２６】
図８は、本願の第二実施例によるＰＷＭ／リニア制御切換式昇降圧型ＤＣ／ＤＣコンバータ４００を用いた場合の電源変換効率を示す図である。リニア制御の電源変換効率はスイッチング制御の電源変換効率に比べ一般に電源変換効率が低い。しかし本願の好適実施例ではＶｉｎとＶｏｕｔの電圧差がないので、電源変換効率は低くならない。このことは、Ｖｉｎ＝Ｖｏｕｔ＋Ｖｏｓなので、上記の（数１）から明らかである。
【００２７】
また、本願の第二実施例ではリニア制御の間は、スイッチングロスがなくなるのでスイッチング制御の場合に比べ電源変換効率は改善される。
【００２８】
以上、第二実施例としてスイッチング素子４９０の切り換えを昇降圧切り換え電圧付近において行う場合について説明したが、本願は、スイッチング素子４９０の切り換えの時期を限定するものではない。スイッチング素子の切り換え時期を一次側電源の電圧が急激に変動した場合、例えば、一次側電源（電池）の挿抜時とすることも可能である。その場合の好適実施例を以下説明する。従来、ＰＷＭ制御型電源を有する機器の一次側電源（電池）を挿抜した場合、二次側電源の出力電圧にオーバーシュートやアンダーシュートが発生するという問題があった。ＣＤプレーヤ等のように二次側電源出力にレーザ素子等が接続されるアプリケーションでは、この二次側電源の出力電圧の挙動がレーザ素子の信頼性と耐久性の上で大きな問題となる。従来この問題を回避するために、これらのアプリケーションでは電源変換効率を犠牲にしてリニア制御型電源を用いてきた。しかし、本願を用いて、一次側電源（電池）の挿抜時に一時的にリニア制御型電源に切り換えることにより、定常時は電源変換効率の良いＰＷＭ制御型電源を用いることが可能となる。その結果、レーザの信頼性と耐久性の向上と電源変換効率の向上とそれに伴う電源（電池）の耐久時間の延長が可能となる。
【００２９】
【発明の効果】
本発明は、以下に記載されるような効果を奏する。
【００３０】
本発明は、昇降圧の切り換え時に昇降圧切り換え信号が反転しないＤＣ／ＤＣコンバータを提供することができる。
【００３１】
本発明は、二次側電圧の挙動のないＤＣ／ＤＣコンバータを提供することができる。
【００３２】
本発明は、昇降圧の切り換え時に発振しないＤＣ／ＤＣコンバータを提供することができる。
【００３３】
本発明は、昇降圧の切り換え時にＰＷＭのデュティが変化することなく、出力変動のないＤＣ／ＤＣコンバータを提供することができる。
【００３４】
本発明は、昇降圧切り換え電圧付近において、電源変換効率の向上したＤＣ／ＤＣコンバータを提供することができる。
【００３５】
以上、本発明の特定の実施例に基づく回路について説明してきたが、当該技術分野に通じたものであれば本発明の範囲内で回路を変形、変更することができる。本発明はここで開示された特定の実施例に限定されるものではない。例えば、実施例ではＰＷＭ制御によるＤＣ／ＤＣコンバータとＰＷＭ制御とリニア制御によるＤＣ／ＤＣコンバータについて説明したが、本発明はこれらのＤＣ／ＤＣコンバータに限定されるものではなく、ＰＡＭ制御やＰＦＭ制御などの同期クロックに応答するものであればいかなる昇降圧型ＤＣ／ＤＣコンバータにも適用可能である。ラッチ回路も図面の回路に限定されるものではない。これらの回路構成は当業者が成し得る回路変形、変更を含む。そのような変形、変更されたものも本発明の技術思想の範疇であり、特許請求の範囲に含まれるものである。
【図面の簡単な説明】
【図１】 従来技術による、ＰＷＭ制御型の昇降圧型ＤＣ／ＤＣコンバータ１００を示す簡略回路図である。
【図２】 従来技術による、二次側電圧の変化を示す図である。
【図３】 本願の一実施例による、ＤＣ／ＤＣコンバータ２００を示す簡略回路図である。
【図４】 本願の一実施例による、一次側電圧と第二昇降圧切り換え信号の関係を示す図である。
【図５】 本願の他の一実施例による、ＰＷＭ／リニア制御式のＤＣ／ＤＣコンバータ４００を示す簡略回路図である。
【図６】 本願の他の一実施例による、制御モード別の昇降圧部のトランジスタの動作を示す表である。
【図７】 本願の他の一実施例による、二次側電圧の変化とその制御モードの関係を示す図である。
【図８】 本願の他の一実施例による、電源変換効率を示す図である。
【符号の説明】
１０１，２０１      ＰＷＭ制御部
１０２，２０２    昇降圧部
２１          昇降圧切り換え回路
２１１        電圧比較器
２１２        ラッチ回路
２１３        のこぎり波発生回路
１２０，２２０      ＤＣ／ＤＣコンバータ制御回路
１３０，２３０    プリドライバ
４０３        リニア制御部
４９０        スイッチング素子
【図１】
0004184492.tif 000003
【図２】
0004184492.tif 000004
【図３】
0004184492.tif 000005
【図４】
0004184492.tif 000006
【図５】
0004184492.tif 000007
【図６】
0004184492.tif 000008
【図７】
0004184492.tif 000009
【図８】
0004184492.tif 000010